(57)【要約】【課題】画面の再表示等の不要な処理等の発生を回避しつつ、誤ったタッチ操作による誤った処理の実行を防止することが可能な反応領域制御装置を提供する。【解決手段】タッチパネル４が表面に設けられたディスプレイ３に表示されるウェブページであって、タッチパネル４に対するタッチ位置に対応した処理を実行させるためのリンク領域が複数含まれているウェブページをディスプレイ３に表示する表示制御部２と、リンク領域間の距離が閾値距離未満の場合、当該距離が閾値距離未満であるリンク領域のいずれかに対応し、且つ他のリンク領域との間の距離が閾値距離以上となるリンク有効領域をタッチパネル４について設定する処理部１０と、を備える。【選択図】図２
2014203140.tif 000002
【特許請求の範囲】
【請求項１】
タッチ受付手段が表面に設けられた表示手段に表示される表示情報であって、前記タッチ受付手段に対するタッチ位置に対応した処理を実行させるための反応領域の表示が複数含まれている表示情報を前記表示手段に表示する表示制御手段と、
前記反応領域間の距離が閾値距離未満の場合、当該距離が当該閾値距離未満である前記反応領域のいずれかに対応し、且つ他の前記反応領域との間の距離が前記閾値距離以上となる対応反応領域を、前記タッチ受付手段について設定する領域設定手段と、
を備えることを特徴とする反応領域制御装置。
【請求項２】
請求項１に記載の反応領域制御装置において、
前記表示制御手段は、前記設定された対応反応領域を表す領域情報を、当該対応反応領域が対応する前記反応領域の表示と区別可能に前記表示手段に表示することを特徴とする反応領域制御装置。
【請求項３】
請求項１又は請求項２に記載の反応領域制御装置において、
前記領域設定手段は、前記対応反応領域が対応する前記反応領域より狭く且つ当該反応領域内の前記表示手段の位置に、前記対応反応領域を前記タッチ受付手段について設定することを特徴とする反応領域制御装置。
【請求項４】
請求項１又は請求項２に記載の反応領域制御装置において、
前記表示制御手段は、前記対応反応領域の表示を、当該対応反応領域が対応する前記反応領域の表示外の前記表示手段の位置に、且つ当該反応領域との関係が認識可能に表示することを特徴とする反応領域制御装置。
【請求項５】
請求項１から請求項４のいずれか一項に記載の反応領域制御装置において、
前記領域設定手段は、前記閾値距離と比較される前記反応領域の距離を、前記反応領域相互における最も近い点間の距離とすることを特徴とする反応領域制御装置。
【請求項６】
請求項１から請求項５のいずれか一項に記載の反応領域制御装置において、
前記閾値距離は、前記表示手段の解像度又は前記表示手段に同時に表示される前記反応領域の表示の数に基づいて設定されることを特徴とする反応領域制御装置。
【請求項７】
請求項１から請求項６のいずれか一項に記載の反応領域制御装置において、
前記表示情報はウェブページ情報であり、
前記反応領域は、当該ウェブページ情報に含まれるリンク領域であることを特徴とする反応領域制御装置。
【請求項８】
タッチ受付手段が表面に設けられた表示手段に表示される表示情報であって、前記タッチ受付手段に対するタッチ位置に対応した処理を実行させるための反応領域の表示が複数含まれている表示情報を前記表示手段に表示する表示制御工程と、
前記反応領域間の距離が閾値距離未満の場合、当該距離が当該閾値距離未満である前記反応領域のいずれかに対応し、且つ他の前記反応領域との間の距離が前記閾値距離以上となる対応反応領域を、前記タッチ受付手段について設定する領域設定工程と、
を含むことを特徴とする反応領域制御方法。
【請求項９】
タッチ受付手段が表面に設けられた表示手段に接続される反応領域制御装置に含まれるコンピュータを、
請求項１から請求項７のいずれか一項に記載の前記表示制御手段、及び、
前記領域設定手段、
として機能させることを特徴とする反応領域制御用プログラム。
【発明の詳細な説明】
【技術分野】
【０００１】
本願は、反応領域制御装置、反応領域制御方法及び反応領域制御用プログラムの技術分野に属する。より詳細には、液晶ディスプレイ等の表面に設けられるタッチパネル等に対するタッチ位置に対応した処理を実行させるための反応領域を制御する反応領域制御装置及び反応領域制御方法並びに当該反応領域制御装置用のプログラムの技術分野に属する。
【背景技術】
【０００２】
近年、例えばいわゆるスマートフォンやタブレット型端末装置等の情報端末装置において、人の指又はタッチペン等によりタッチ操作された位置に応じて当該スマートフォン等に対する処理を指示するタッチパネルが広く一般化している。一般にタッチパネルでは、当該タッチパネルが設けられているディスプレイ上に表示されている例えば操作ボタンの画像の位置をタッチ操作することにより、当該操作ボタンに対応付けられている処理が実行される。
【０００３】
一方近年では、例えば処理の多様化等の理由によりディスプレイに同時に表示すべき操作ボタンの数が多くなる反面、小型化の要請等によりディスプレイ自体の大きさは小型化が求められる傾向にある。よってこの場合、小型化した多数の上記操作ボタンを一度にディスプレイに表示してタッチ操作に供させることになる。
【０００４】
しかしながら、多数の操作ボタンが密集して表示されている場合にタッチ操作を行うと、例えば複数の意図しない操作ボタンをタッチ操作したと認識されることにより、結果として使用者の意図しない処理が誤って開始されてしまうといった問題点がある。
【０００５】
そこで、このような問題点を解決する手段として、従来、例えば下記特許文献１に開示されている技術が提案されている。この技術では、多数の操作ボタンが密集している場合においていずれかの操作ボタンに対するタッチ操作が行われた場合、当該操作された可能性がある操作ボタンを複数含んだ拡大された画面を改めて表示し、その拡大された画面内の操作ボタンを改めてタッチ操作することにより、それに対応付けられた正しい処理を実行する構成が記載されている。
【先行技術文献】
【特許文献】
【０００６】
【特許文献１】特開２０１１−１９２１７３号公報
【発明の概要】
【発明が解決しようとする課題】
【０００７】
しかしながら、上記特許文献１に開示されている技術では、拡大された操作ボタンを含む画面の再表示及び当該再表示されている画面内の操作ボタンに対する再度のタッチ操作が必要となり、結果として一度のタッチ操作で所望の処理を実行させることができない。よってこの場合は、誤った処理の開始を防止するために、画面の再表示や使用者による改めてのタッチ操作といった不要な処理や操作が発生してしまうという問題点があった。
【０００８】
そこで本願は、上記の問題点に鑑みて為されたもので、その課題の一例は、画面の再表示等の不要な処理等の発生を回避しつつ、誤ったタッチ操作による誤った処理の実行を防止することが可能な反応領域制御装置及び反応領域制御方法、並びに当該反応領域制御装置用のプログラムを提供することにある。
【課題を解決するための手段】
【０００９】
上記の課題を解決するために、請求項１に記載の発明は、タッチ受付手段が表面に設けられた表示手段に表示される表示情報であって、前記タッチ受付手段に対するタッチ位置に対応した処理を実行させるための反応領域の表示が複数含まれている表示情報を前記表示手段に表示する表示制御手段と、前記反応領域間の距離が閾値距離未満の場合、当該距離が当該閾値距離未満である前記反応領域のいずれかに対応し、且つ他の前記反応領域との間の距離が前記閾値距離以上となる対応反応領域を、前記タッチ受付手段について設定する領域設定手段と、を備える。
【００１０】
上記の課題を解決するために、請求項８に記載の発明は、タッチ受付手段が表面に設けられた表示手段に表示される表示情報であって、前記タッチ受付手段に対するタッチ位置に対応した処理を実行させるための反応領域の表示が複数含まれている表示情報を前記表示手段に表示する表示制御工程と、前記反応領域間の距離が閾値距離未満の場合、当該距離が当該閾値距離未満である前記反応領域のいずれかに対応し、且つ他の前記反応領域との間の距離が前記閾値距離以上となる対応反応領域を、前記タッチ受付手段について設定する領域設定工程と、を含む。
【００１１】
上記の課題を解決するために、請求項９に記載の発明は、タッチ受付手段が表面に設けられた表示手段に接続される反応領域制御装置に含まれるコンピュータを、請求項１から請求項７のいずれか一項に記載の前記表示制御手段、及び、前記領域設定手段、として機能させる。
【図面の簡単な説明】
【００１２】
【図１】実施形態に係る反応領域制御装置の概要構成を示すブロック図である。
【図２】実施例に係るスマートフォンの概要構成を示すブロック図である。
【図３】実施例に係るスマートフォンにおけるリンク表示制御処理を示すフローチャートである。
【図４】実施例に係るスマートフォンにおけるリンク領域の表示例を示す正面図である。
【図５】実施例に係るスマートフォンにおけるリンク有効領域の表示例を示す正面図であり、（ａ）は第１例を示す正面図であり、（ｂ）は第２例を示す正面図であり、（ｃ）は第３例を示す正面図である。
【図６】実施例に係るスマートフォンにおけるリンク有効領域の表示の第４例を示す正面図である。
【発明を実施するための形態】
【００１３】
次に、本願を実施するための形態について、図１を用いて説明する。なお図１は、実施形態に係る反応領域制御装置の概要構成を示すブロック図である。
【００１４】
図１に示すように、実施形態に係る反応領域制御装置Ｓは、タッチ受付手段４に接続された領域設定手段１と、タッチ受付手段４が表面に設けられた表示手段３に接続された表示制御手段２と、を備えて構成されている。
【００１５】
この構成において表示制御手段２は、表示手段３に表示される表示情報であって、タッチ受付手段４に対するタッチ位置に対応した処理を実行させるための反応領域の表示が複数含まれている表示情報を表示手段３に表示する。
【００１６】
そして領域設定手段２は、表示される反応領域間の距離が閾値距離未満の場合、当該距離が当該閾値距離未満である反応領域のいずれかに対応し、且つ他の反応領域との間の距離が閾値距離以上となる対応反応領域を、タッチ受付手段４について設定する。
【００１７】
以上説明したように、実施形態に係る反応領域制御装置Ｓの動作によれば、タッチ位置に対応した処理を実行させるための反応領域の表示を複数含む表示情報において反応領域間の距離が閾値距離未満の場合、当該反応領域のいずれかに対応し、且つ他の反応領域との間の距離が閾値距離以上となる対応反応領域がタッチ受付手段４について設定される。よって、当該対応反応領域をそれが対応する反応領域に代えてタッチ操作させることで、反応領域の距離を離した表示情報の再表示や使用者による操作回数の増加といった不要な処理又は操作の発生を回避しつつ、複数の反応領域を跨ぐ誤ったタッチによる誤った処理の実行を防止できる。
【実施例】
【００１８】
次に、上述した実施形態に対応する具体的な実施例について、図２乃至図５を用いて説明する。なお以下に説明する実施例は、携帯型の情報端末装置の一例であるスマートフォンにおけるウェブページ内のリンク領域の表示制御に対して、実施形態を適用した場合の実施例である。
【００１９】
また、図２は実施例に係るスマートフォンの概要構成を示すブロック図であり、図３は当該スマートフォンにおけるリンク表示制御処理を示すフローチャートである。更に、図４は実施例に係るスマートフォンにおけるリンク領域の表示例を示す正面図であり、図５は実施例に係るスマートフォンにおけるリンク有効領域の表示例を示す正面図である。このとき図２、図４及び図５では、図１に示した実施形態に係る反応領域制御装置Ｓにおける各構成部材に対応する実施例の構成部材それぞれについて、当該反応領域制御装置Ｓにおける各構成部材と同一の部材番号を用いている。
【００２０】
また以下の説明において、「リンク領域」とは、後述する外部インターフェースを介して外部から取得された表示用のウェブページ内に元々含まれて後述するディスプレイ表示されリンク領域をいう。また「リンク有効領域」とは、実施例に係るリンク表示制御処理において（上記リンク領域とは別個に）新たに作成されて、上記ディスプレイに表示されるリンク有効領域をいう。
【００２１】
図２に示すように、実施形態に係る反応領域制御装置Ｓの一例としての実施例に係るスマートフォンＳＰは、実施形態に係る表示手段３の一例としての液晶ディスプレイ等からなるディスプレイ３と、実施形態に係るタッチ受付手段４の一例としてのタッチパネル４と、ＣＰＵ、ＲＡＭ（Random Access Memory）及びＲＯＭ（Read Only Memory）等からなる処理部１０と、例えばＳＳＤ（Solid State Drive）又はハードディスク等からなる不揮発性の記録部２０と、スマートフォンＳＰと外部のインターネット等のネットワークとの間のデータの授受を行う外部インターフェース３０と、により構成されている。
【００２２】
また処理部１０は、イベントトリガ制御部１１と、実施形態に係る表示制御手段２の一例としての表示制御部２と、閾値距離算出部１２と、リンク有効領域判断部１３と、新リンク有効領域作成部１４と、強調表示作成部１５と、により構成されている。このとき、処理部１０を構成するイベントトリガ制御部１１、表示制御部２、閾値距離算出部１２、リンク有効領域判断部１３、新リンク有効領域作成部１４及び強調表示作成部１５は、処理部１０内のいわゆるハードウェアロジック回路を用いて実現されるものであってもよいし、或いは例えば記録部２０内に記録されている対応ソフトウエアを処理部１０内の図示しないＣＰＵが読み出して実行することにより、実現されるものであってもよい。また、図２において破線で示すように、上記閾値距離算出部１２、リンク有効領域判断部１３及び新リンク有効領域作成部１４により、実施形態に係る領域設定手段１の一例を構成している。
【００２３】
一方記録部２０内には、後述する表示データ２１、閾値距離２２及びリンク有効領域座標２３が記録されている。
【００２４】
この構成において表示制御部２は、外部インターフェース３０を介して、複数のリンク領域を含むウェブページをディスプレイ３に表示するためのデータを、表示データ２１として受信する。そして表示制御部２は、当該受信した表示データ２１を用いて、所望されるウェブページ（上記複数のリンク領域を含むウェブページ）をディスプレイ３に表示する。このとき受信された表示データ２１は、記録部２０に一時的に記録される。また上記表示制御部２としての処理は、例えば従来と同様の方法又は方式により行われる。
【００２５】
一方イベントトリガ制御部１１は、実施例に係るリンク表示制御処理を開始させるためのトリガとなるデータ又は信号に基づいて、当該リンク表示制御処理を開始させる。実施例に係るリンク表示制御処理の場合、当該トリガとは、例えば新しいウェブページの読み込み要求の操作が例えばタッチパネル４を用いて行われた場合の当該読み込み要求や、或いは、現在表示しているウェブページを拡大表示する旨の操作が例えばタッチパネル４を用いて行われた場合の当該拡大表示要求が該当する。
【００２６】
そして、実施例に係る閾値距離算出部１２は、一時的に記憶されている上記表示データ２１に基づいて、当該表示データ２１を用いてディスプレイ３に表示されるウェブページ内のリンク領域間の距離についての実施例に係る閾値距離を算出する。この場合のリンク領域間の「距離」とは、例えば、隣接するリンク領域それぞれの外縁上の位置のうち最も接近している位置間の距離である（以下の説明において同様）。そして実施例に係る閾値距離は、実施例に係るリンク表示制御処理によりディスプレイ３上に表示される隣接リンク有効領域間の距離として、使用者が例えば指で操作したときに誤ったリンク有効領域を操作することがない程度に当該リンク有効領域を離して表示するための閾値距離である。実施例に係るリンク表示制御処理では、隣接するリンク有効領域が当該閾値距離以上離れてディスプレイ３上に表示されることで、上記誤ったリンク有効領域の操作自体を防止することとしている。閾値距離算出部１２は、このような閾値距離を、例えばディスプレイ３の解像度、又はディスプレイ３に同時に表示されるリンク領域の数（使用者の操作によりウェブページを拡大又は縮小して表示するそれぞれの場合に表示されるリンク領域の数を含む。以下、同様。）に基づいて算出する。
【００２７】
次にリンク有効領域判断部１３は、外部インターフェース３０を介して受信されたウェブページに含まれるリンク領域（実施例に係るリンク有効領域を生成する前の、（デフォルトの）リンク領域）のそれぞれが、ディスプレイ３上に表示された状態で、上記閾値距離算出部１２により算出される閾値距離以上離れているか否かを判定する。
【００２８】
これにより新リンク有効領域作成部１４は、リンク有効領域判断部１３による判定により上記閾値距離以上離れていないと判定されたリンク領域に対応した実施例に係るリンク有効領域を新たに作成し、当該新たなリンク有効領域のディスプレイ３上の座標を示すリンク有効領域座標２３を記録部２０に記録させる。
【００２９】
そして強調表示作成部１５は、新リンク有効領域作成部１４により作成されたリンク有効領域を、リンク有効領域座標２３を参照しながら設定して、元のリンク領域に代えて、或いは当該リンク領域と共に、ディスプレイ３に表示する。このとき強調表示作成部１５は、元のリンク領域と区別可能に当該リンク有効領域を強調表示する。この強調表示の態様については、後ほど図５を用いて説明する。
【００３０】
なおこれらの処理と並行して、記録部２０は、上記表示データ２１及びリンク有効領域座標２３を記録すると共に、閾値距離算出部１２により算出された上記閾値距離を示すデータを記録する。そして記録部２０は、これらのデータを処理部１０からの要求に応じて当該処理部１０に出力する。
【００３１】
次に、実施例に係るリンク表示制御処理について、具体的に図２乃至図５を用いて説明する。なお当該リンク表示制御処理は、主として処理部１０を中心として実行される。
【００３２】
実施例に係るリンク表示制御処理において処理部１０のイベントトリガ制御部１１は、図３に示すように、上記新しいウェブページの読み込み要求、又は上記拡大表示要求等があった場合、実施例に係るリンク表示制御処理を開始する。そして処理部１０の表示制御部２は、当該読み込み要求又は拡大表示要求に応じて、ディスプレイ３上に表示されている画面を更新する処理を行う（ステップＳ１）。このときの表示制御部２による更新処理は、例えば、上記外部インターフェース３０を介して受信して記録部２０に記録されている表示データ２１を用いて行われる。またステップＳ１の更新処理後に係る画面の例としては、例えば図４に示すように、スマートフォンＳＰのディスプレイ３上（その表面にはタッチパネル４が設けられている）に、「○○サイト」に係るウェブページとして表示されるものが挙げられる。この図４に例示するウェブページでは、八つのリンク領域Ｒ１乃至リンク領域Ｒ８が、それぞれの境界を接するように表示されることとされているものとする。このとき、例えばリンク領域Ｒ３に相当するタッチパネル４の位置が使用者によりタッチされた場合、処理部１０の表示制御部２は、タッチ対象たるリンク領域Ｒ３がリンクされている「経済」のウェブページにディスプレイ３の表示が遷移するように制御することとなる。なお以下の説明において、各リンク領域Ｒ１乃至リンク領域Ｒ８のついて共通的に説明する場合には、適宜、単に「リンク領域Ｒ」と称することとする。また、図４に例示するようなウェブページが表示されている場合、各リンク領域Ｒ１乃至リンク領域Ｒ８がそれぞれの境界を接するように配置されているため、［発明が解決しようとする課題］の欄において説明したような問題点が生じることとなる。
【００３３】
そこで処理部１０の閾値距離算出部１２は、上記表示データ２１に基づき、上述した手法により実施例に係る閾値距離を算出して、記録部２０に一時的に記録する（ステップＳ２）。
【００３４】
次に処理部１０のリンク有効領域判断部１３及び新リンク有効領域作成部１４は、後述するステップＳ４の処理及びステップＳ５の処理を、現在ディスプレイ３上に表示されているウェブページ内のリンク領域Ｒ１乃至リンク領域Ｒ８の全てについて実行する（ステップＳ３及びステップＳ３Ｒ）。即ちリンク有効領域判断部１３は、現在ディスプレイ３に表示されている各リンク領域Ｒ１乃至リンク領域Ｒ８について、ディスプレイ３上に表示された状態で他のリンク領域Ｒから上記閾値距離以上離れているか否かを、それぞれ判定する（ステップＳ４）。そしてステップＳ４の判定において他のリンク領域Ｒから閾値距離以上離れて表示されているリンク領域Ｒについては（ステップＳ４；ＹＥＳ）、そのまま後述するステップＳ６の処理に移行する。
【００３５】
一方ステップＳ４の判定において、他のリンク領域Ｒから閾値距離以上離れて表示されていないリンク領域Ｒについて（ステップＳ４；ＮＯ）、新リンク有効領域作成部１４は、当該リンク領域Ｒに対応する新たなリンク有効領域を作成し、当該新たなリンク有効領域のディスプレイ３上の座標をリンク有効領域座標２３として記録部２０に記録させる（ステップＳ５）。なお図４に例示する場合、全てのリンク領域Ｒが互いに接しているので、当該全てのリンク領域Ｒが上記ステップＳ５の対象となることになる。またステップＳ５の処理により作成された新たなリンク有効領域がディスプレイ３上に表示された状態では、当該リンク有効領域同士は少なくとも上記閾値距離以上離れていることになる。
【００３６】
ステップＳ１の処理によりディスプレイ３上に表示されているリンク領域Ｒの全てについて上記ステップＳ４の判定及びステップＳ５の処理が実行されたら（ステップＳ３Ｒ）、次に処理部１０の強調表示作成部１５及び表示制御部２は、新リンク有効領域作成部１４により作成された新たなリンク有効領域を、記録部２０に記録されているリンク有効領域座標２３を参照しながら設定して、元のリンク領域に代えて、或いは当該リンク領域と共に、ディスプレイ３に表示する（ステップＳ６）。このとき強調表示作成部１５は、元のリンク領域と区別可能に、例えば表示色や特定のハッチング処理等を施して当該リンク有効領域を強調表示する。また強調表示作成部１５は、例えば実施例に係るウェブページを構成するＨＴＭＬ（Hyper Text Markup Language）ソースを変更することにより、元のリンク領域からリンク有効領域の設定を行う。
【００３７】
その後処理部１０は、実施例に係るリンク表示制御処理を終了して、処理部１０としての他の処理に移行する。なお、上記ステップＳ４の判定において他のリンク領域Ｒから閾値距離以上離れて表示されているリンク領域Ｒについては（ステップＳ４；ＹＥＳ参照）、当該リンク領域Ｒの表示がそのまま継続されることになる（ステップＳ６）。
【００３８】
次に、上記ステップＳ６の処理の結果としてディスプレイ３上に表示されるリンク領域Ｒ及び／又はリンク有効領域について、図４に例示したウェブページを前提として具体的に図５を用いて説明する。
【００３９】
実施例に係るリンク表示制御処理におけるリンク領域Ｒ及びリンク有効領域の表示態様については、一のリンク領域Ｒと、それに隣接する他のリンク領域Ｒ又はリンク有効領域と、の距離が、実施例に係る閾値距離以上とされる。
【００４０】
即ち、当該リンク領域Ｒ及びリンク有効領域の表示態様としては、例えば図５（ａ）に例にするように、元のリンク領域Ｒ１乃至リンク領域Ｒ８にそれぞれ対応したリンク有効領域ＭＲ１乃至リンク有効領域ＭＲ８（図５においてハッチング表示されている）が、少なくとも閾値距離ｄだけ離れるようにディスプレイ３上に表示される。この図５（ａ）に例示する場合、元のリンク領域Ｒ１乃至リンク領域Ｒ８のそれぞれも併せて表示されるため、それらに対応するリンク有効領域ＭＲ１乃至リンク有効領域ＭＲ８は、それぞれが対応する元のリンク領域Ｒ１乃至リンク領域Ｒ８に対して識別可能に強調表示される。また図５（ａ）に例示する場合において、例えばリンク有効領域ＭＲ３に相当するタッチパネル４の位置がタッチされた場合、処理部１０の表示制御部２は、元のリンク領域Ｒ３が関連付けられている「経済」のウェブページにディスプレイ３の表示が遷移するように制御することとなる。更に、リンク有効領域ＭＲ１乃至リンク有効領域ＭＲ８それぞれに相当するタッチパネル４の位置以外のリンク領域Ｒ１乃至リンク領域Ｒ８それぞれに相当する位置がタッチされても、そのタッチ操作に対応する処理は何ら実行されないこととなる。なお以下の説明において、各リンク有効領域ＭＲ１乃至リンク有効領域ＭＲ８のついて共通的に説明する場合には、適宜、単に「リンク有効領域ＭＲ」と称することとする。
【００４１】
一方、元の各リンク領域Ｒと、これらに対応する各リンク有効領域ＭＲと、が同時にディスプレイ３上に表示される他の例としては、例えば図５（ｂ）に示す場合が挙げられる。この図５（ｂ）に例示する場合でも、対応するタッチパネル４の位置に対するタッチに反応する各リンク有効領域ＭＲそれぞれの間は閾値距離ｄ以上離れて表示されており、更に各リンク有効領域ＭＲが、対応する元の各リンク領域Ｒに対して識別可能に強調表示される。
【００４２】
なお、図５（ａ）及び図５（ｂ）に例示した場合には、元の各リンク領域Ｒと、これらに対応する各リンク有効領域ＭＲと、が同時にディスプレイ３上に表示されていたが、これ以外に、例えば図５（ｃ）に示すように、元の各リンク領域Ｒを表示することなく、これらに代えて新たな各リンク有効領域ＭＲのみを表示するように構成することもできる。この場合は、元の各リンク領域Ｒとの対応関係が認識できるように、例えば図５（ｃ）に示すように、対応する元の各リンク領域Ｒと同一の標題が各リンク有効領域ＭＲと共に表示するように構成することが望ましい。
【００４３】
また、図５（ａ）乃至図５（ｃ）に例示した場合には、元の各リンク領域Ｒの内部になるディスプレイ３上の位置に、これらに対応する各リンク有効領域ＭＲが表示されていたが、これ以外に、例えば図６に示すように、元の各リンク領域Ｒとの対応関係を示す引出線を伴った各リンク有効領域ＭＲを表示するように構成することもできる。この場合は、元の各リンク領域Ｒの外部になるディスプレイ３上の位置に、それらに対応する各リンク有効領域ＭＲが表示される。更にこの場合、リンク領域Ｒとリンク有効領域ＭＲとの対応関係は、図６に例示する引出線の他に、例えば指示線又は矢印を用いて表示するように構成してもよい。
【００４４】
更にまた、図示は省略するが、元の各リンク領域Ｒの標題を校正する文字の一部であって、隣接するリンク領域Ｒ間の距離が閾値距離ｄ以上となる文字の一部のみに相当する領域を新たなリンク有効領域ＭＲとするように構成してもよい。この場合、例えばリンク領域Ｒ１の標題における「ニ」の文字に相当する領域が新たなリンク有効領域ＭＲ１として作成され、更にリンク領域Ｒ１に隣接するリンク領域Ｒ３の標題における「済」の文字に相当する領域（上記「ニ」の文字に相当する領域とは閾値距離ｄ以上離れている）が新たなリンク有効領域ＭＲ３として作成される。そしてこれら「ニ」の文字及び「済」の文字が、例えば他の文字に対してフォントの大きさを変えたり表示色を変えたりして強調表示されることとなる。
【００４５】
以上それぞれ説明したように、実施例に係るリンク表示制御処理によれば、タッチ位置に対応した処理を実行させるためのリンク領域Ｒの表示を複数含むウェブページにおいてリンク領域Ｒ間の距離が閾値距離未満の場合、当該リンク領域Ｒのいずれかに対応し、且つ他のリンク領域Ｒとの間の距離が閾値距離以上となるリンク有効領域ＭＲがタッチパネル４について設定される。よって、リンク有効領域ＭＲをそれが対応するリンク領域Ｒに代えてタッチ操作させることで、リンク領域Ｒの距離を離したウェブページの再表示や使用者による操作回数の増加といった不要な処理又は操作の発生を回避しつつ、複数のリンク領域Ｒを跨ぐ誤ったタッチによる誤った処理の実行を防止できる。
【００４６】
また、リンク有効領域ＭＲを、当該リンク有効領域ＭＲが対応するリンク領域Ｒと区別可能に表示するので、タッチすべき位置がより明確に表示されることで、誤ったタッチによる誤った処理の実行を更に防止できる。
【００４７】
更に図５に例示したように、リンク領域Ｒ内のディスプレイ３上の位置に、当該リンク領域Ｒにそれぞれ対応し且つ当該リンク領域Ｒより狭いリンク有効領域ＭＲを表示する場合は、誤ったタッチによる誤った処理の実行をより確実に防止できる。
【００４８】
更にまた図６に例示したように、リンク有効領域ＭＲの表示を、当該リンク有効領域ＭＲが対応するリンク領域Ｒの表示外のディスプレイ３の位置に、且つ当該リンク領域Ｒとの関係が認識可能に表示する場合は、リンク有効領域ＭＲと元のリンク領域Ｒとの関係を明確に使用者に認識させることができる。
【００４９】
また、閾値距離と比較されるリンク領域Ｒの距離が、リンク領域Ｒ相互における最も近い点間の距離であるので、リンク領域Ｒ間の距離が近い場合でも、複数のリンク領域Ｒを跨ぐ誤ったタッチによる誤った処理の実行を有効に防止できる。
【００５０】
更に、閾値距離が、ディスプレイ３の解像度又はディスプレイ３に同時に表示されるリンク領域Ｒの数に基づいて設定されるので、複数のリンク領域Ｒを跨ぐ誤ったタッチによる誤った処理の実行をより有効に防止できる。
【００５１】
更にまた、表示される表示データ２１がウェブページであるので、ウェブページ内のリンクの選択等における誤った処理の実行を有効に防止できる。
【００５２】
また、図３に示したフローチャートに相当するプログラムを、フレキシブルディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係る処理部１０として機能させることも可能である。
【符号の説明】
【００５３】
１    領域設定手段
２    表示制御手段（表示制御部）
３    表示手段（ディスプレイ）
４    タッチ受付手段（タッチパネル）
１０    処理部
１２    閾値距離算出部
１３    リンク有効領域判断部
１４    新リンク有効領域作成部
１５    強調表示作成部
２０    記録部
２１    表示データ
２２    閾値距離
２３    リンク有効領域座標
Ｓ    反応領域制御装置
ＳＰ    スマートフォン
Ｒ１、Ｒ２、Ｒ３、Ｒ４、Ｒ５、Ｒ６、Ｒ７、Ｒ８    リンク領域
ＭＲ１、ＭＲ２、ＭＲ３、ＭＲ４、ＭＲ５、ＭＲ６、ＭＲ７、ＭＲ８    リンク有効領域
【図１】
2014203140.tif 000003
【図２】
2014203140.tif 000004
【図３】
2014203140.tif 000005
【図４】
2014203140.tif 000006
【図５】
2014203140.tif 000007
【図６】
2014203140.tif 000008